(57)【要約】      （修正有）【課題】ブラシに加わり過ぎた圧力を吸収すると共に、歯や歯茎に優しく清掃ができ、圧力が加わり過ぎた場合でも、ブラッシングに有効に働き、また、経済性、コスト面に貢献し、省資源を図れる歯ブラシを提供する。【解決手段】歯ブラシヘッドの柄１に対して垂直に貫通した穴もしくは垂直に貫通した穴と溝の両方を設けて、歯ブラシヘッドの柄１の表面、又は溝の表面を凸凹させ、ブラシ台座を、弾性材を使い、底面を開放にした空洞を有する半球形状にして、ブラシ３と半球形状の弾性材から構成された弾性構造体にしたブラシ台座２を歯ブラシヘッドの柄１に被せて一体形成したブラシ台座２と、着脱可能にするために輪形状の弾性材を一体成型して設けたブラシ台座を歯ブラシヘッドの柄１に装着して、ブラシ台座２に歯ブラシヘッドの柄１に対して垂直にブラシ先端面が揃うようにブラシ３を取り付けた。【選択図】図１
2008178655.tif 000002
【特許請求の範囲】
【請求項１】
歯ブラシの、歯ブラシヘッドの柄とブラシの付いたブラシ台座で構成された歯ブラシヘッド部分において、ブラシ台座を、弾性材を使い、底面を開放にした、空洞を有する半球形状にして、ブラシと半球形状の弾性材で構成された弾性構造にし、その弾性構造体がブラシ台座になっていることを特徴とするブラシ台座。
【請求項２】
底面を開放にした、空洞を有する半球形状の弾性構造にした弾性構造体のブラシ台座に、歯ブラシヘッドの柄に対して垂直にブラシが取り付けられていることを特徴とする請求項１記載のブラシ台座。
【請求項３】
半球形状にした、弾性材とブラシで構成されている弾性構造体にしたブラシ台座を、歯ブラシヘッドの柄に取り付ける前の歯ブラシヘッドの柄に、歯ブラシヘッドの柄に対して垂直に貫通した穴を設けたことを特徴とする請求項１記載の歯ブラシヘッドの柄。
【請求項４】
ブラシの付いたブラシ台座が着脱可能な歯ブラシにおいて、弾性材とブラシで構成されたブラシ台座に、ブラシ台座に一体成型された輪形状の弾性材を設けたことを特徴とする、請求項１又は２記載のブラシ台座。
【請求項５】
ブラシの付いたブラシ台座が着脱可能な歯ブラシにおいて、歯ブラシヘッドの柄に、請求項４記載のブラシ台座に一体成型された輪形状の弾性材が収納できる溝を設けたことを特徴とする、請求項１又は３記載の歯ブラシヘッドの柄。
【請求項６】
歯ブラシヘッドの柄の表面、もしくは溝の表面が凸凹していることを特徴とする請求項１又は３又は５記載の歯ブラシヘッドの柄。
【発明の詳細な説明】
【技術分野】
【０００１】
本発明は、ブラシに加わり過ぎた圧力を吸収するとともに、歯の凸凹した場所や、歯と歯の隙間を清掃するのに効果的にブラッシングでき、ブラシ台座を着脱可能にし、交換可能にもした歯ブラシに関する。
【背景技術】
【０００２】
従来の技術に、ブラシに加わる圧力を制御したり、歯の凸凹部分を効果的に清掃するために、弾性材をブラシの取り付け部分やブラシ台座に使ったり、弾性材の代わりに、袋状の中に気体や液体を入れて、ブラシの取り付け部分の下に使用して、圧力を制御するような技術が数多くあった。たとえば、下記特許文献１のようにブラシ台座に弾性材を使用した物や、特許文献２のように、刷毛束を各々弾性体に埋め込んだ物。さらには、特許文献３のように、気体や液体の入った弾性体を使った物などである。また、経済性や省資源を図るために、ブラシの付いたブラシ台座を着脱可能にした、特許文献４などである。
【特許文献１】実開昭５１−１１０７６１号
【特許文献２】特開２００１−１９０３３３号
【特許文献３】特開２００１−８７３５号
【特許文献４】特開平０６−３０４０２２号
【発明の開示】
【発明が解決しようとする課題】
【０００３】
従来の歯ブラシにおいて、ブラシに加わる圧力を吸収し、凸凹した歯に平均的にブラシが当たるようにするために、ブラシを弾性材に埋め込んだ物や、ブラシの下に弾性材を取り付けて圧力を吸収しようとする物は、弾性変化がなければ、目的を達成出来ないことになるわけで、凸凹した歯の凸凹量を弾性材で得る為には、弾性材や弾性体を厚くする、または弾性材を伸ばして目的を達成するには、伸び量を確保する為、柔らかい物を使用する必要があった。そのためブラシの取り付け部分は圧力が加わっていない時が弾性力が一番弱く、最大のぐらつきとなり、弾性量を大きく得ようとすると、弾性した後の復元に時間がかかる事になる。また、歯と歯の隙間に入ったブラシや細かい動きのブラッシングには歯ブラシとしての効果を発揮出来ないことになる。弾性材が歯ブラシヘッドの柄の上部に取り付けてあるものは、構造上、歯ブラシヘッド部を小さくすることが難しくなってしまい、細かい部分を効率良くブラッシングするには、不適切でもある。また、ブラシの付いたブラシ台座の着脱可能な歯ブラシにおいては、従来のより長期にわたり歯ブラシの柄を使用出来るものとし、ブラシ台座を着脱可能にして、消耗品の部分であるブラシを含めたブラシ台座部分を、材料の無駄なく、消耗部分のみを交換可能とすることにより、使用者、生産者ともに経済性、コスト面にすぐれ、省資源を図ることにある。
【０００４】
前記特許文献１は、歯ブラシヘッドの柄の上に取り付けられた弾性材にブラシを取り付けた物であり、目的を達成させたいならば、弾性量を得る為に、柔らかく厚めの弾性材を使用することになる。その為、ブラシの取り付け部分の弾性力は、ブラシに圧力が加わっていない時が最小となり、ぐらつきが大きく、歯に加わる圧力が少ない場合のブラッシングには不向きである。一つ例をあげるならば、歯と歯の隙間に入ってしまったブラシは圧力が加わっていない為、ブラシの取り付け部分の大きなぐらつきにより、とくに細かく動かすブラッシングの場合、ブラッシング効果が薄れてしまう。歯にはある程度の圧力、基本的には、歯に当てるブラシの圧力は２００グラム位が適切圧と言われていて、ブラシの圧力が歯に加わっていなければ、清掃効果は薄れてしまうわけである。また、弾性の仕方を調査すると、ブラシの取り付け部分のぐらつきは、弾性変化前が一番大きく、弾性材が圧縮するとともに、弾性材の弾性力が強くなっていき、小さくなることになる。また、柔らかい弾性材であればあるほど、ブラシに加わった圧力を吸収することは出来るが、弾性変形した後の復元にも時間がかかることになり、ブラッシング中の歯の凸凹の変化に効率良く迅速な対応が出来ない事になる。
【０００５】
前記特許文献２は刷毛束の取り付け部分に単体で弾性材が取り付けてあり、伸びる構造になっている物も含めて、歯の凸凹部に刷毛束を効率よく当てさせるために傾斜するようにした物である。しかしながら、細かく動かすブラッシングをするには、歯と歯の隙間に入った刷毛束や歯の凹んだ所に入った刷毛束は、刷毛束が傾斜する構造のために、他の部分よりも、歯に加わる圧力が逃げることになり不適切である。前記特許文献１の課題と同じく、弾性材が弾性変形していない時が弾性材は一番柔らかく、弾性変形量が増していくごとに硬さを増していく。凸凹した歯に効率良くブラシを平均した圧力で当てるためには、伸びやすい、または縮みやすい柔らかめの弾性材を使用しなければ目的を達成することは難しい。また、その場合は、硬めの弾性材を使った時よりもブラシの復元に時間がかかることになり、細かい動きのブラッシングには不向きである。
【０００６】
前記特許文献３はブラシの取り付け部分の下に液体や気体が入った弾性体を使い、その弾性体の圧力を制御出来るようにして、目的を達成させようとした物であるが、構造が複雑になってしまうのと、安定した弾性力が得られないということがある。弾性体に気体を入れている場合、気圧が違う場所や違う時、または温度の変化、例えば気温、温水、体温などによるものや、弾性を繰り返す事による気体の圧力の上昇などで、ブラッシング中にも弾性体の中の気体の圧力が変わってしまう事があり、弾性力が変わってきてしまう。気体漏れが生じた場合は、弾性体が変形したまま戻らない、水が入る等。また漏れが無い場合でも温度変化や気圧変化による弾性力変化、または、水滴、結露が生じる場合があり、不衛生を連想させられる場合もある。なにより、本来の安定した弾性力が失われてしまう。毎回変わってしまう圧力を一定に保つのは、制御出来たとしても、かえって難しい物になってしまう。液体が入っているものも、液体の流動に時間がかかり、弾性体が変形した後の復元に時間がかかってしまう。漏れが生じれば、弾性体の変形が戻らない等、また、前記特許文献１の課題と同じような事となってしまい、かえって複雑になった分、コスト高や口の中に入れる歯ブラシにとっては、あってはならない液漏れの心配もある。
【０００７】
前記特許文献４は、歯ブラシヘッド部のブラシ台座を着脱可能にした物であり、交換可能である。目的、効果とも本発明の交換可能なブラシ台座と同じであるが、従来は、ブラシ台座に歯ブラシヘッドの柄の材料と同質に近い硬質の合成樹脂を使っており、着脱を繰り返すたびに、歯ブラシヘッドの柄のブラシ台座取り付け部分は摩擦で消耗していく事となる。また、歯ブラシヘッドの柄とブラシ台座の取り付け部分に少しでも隙間があれば、ブラッシング時に擦り合わさる事となって、ブラッシング時間が増えるとともに、がたつきが大きくなっていき、磨耗してはいけない歯ブラシヘッドの柄のブラシ台座の取り付け部分が消耗することになる。そのため長期にわたり使用すると、ブラッシング中に、がたつきにより起きる振動などの不快感や、交換したてのブラシ台座が外れやすくなっていく危険性もある。
【０００８】
本発明は、上記のような問題を解決し、ブラシに加わり過ぎた圧力を吸収すると共に、歯の凸凹した場所や歯と歯の隙間に入ったブラシでも安定した圧力で効率よく清掃ができるようにし、いかなる環境の場所で使用しても、ブラシが歯に加える圧力を最適な圧力に近づけて、安定した弾性力と大きな弾性量を獲得し、さらにブラッシングに有効に働くようにした歯ブラシを提供すること、また、材料の無駄を省き、消耗部分だけのブラシ台座を交換可能にすることもでき、その場合、歯ブラシの柄は従来のより長期にわたり使用出来ることを目的とし、経済性、コスト面に貢献し、省資源を図る。
【課題を解決するための手段】
【０００９】
このため本発明では、ブラシ台座を、弾性材を使って、底面を開放にした、空洞を有する半球形状にして、ブラシと半球形状の弾性材で構成された弾性構造体のブラシ台座を作り、ブラシ一本一本をブラシ束にして、歯ブラシヘッドの柄に対して垂直に、ブラシ先端面が揃うようにブラシ束を複数、弾性材に埋め込んである。その為に、弾性の仕方が従来の物とは全く違うことになる。そして、半球形状の弾性構造体が凹みの変形を始めてから素早く復元させるために、歯ブラシヘッドの柄には、ブラシ台座の空洞部分に存在する空気の出し入れが出来て、その時の抵抗によって、弾性構造体の変形や復元の支障にならないように、歯ブラシヘッドの柄に対して垂直に貫通した大きめの穴を歯ブラシヘッドの柄に設けてある。この穴は、空気の出し入れだけでなく、弾性構造体が大きく変形してしまった場合にも変形を変形し過ぎないように、また、弾性材の裏面の洗浄性など有利に働く。（図１０参照）。また、着脱可能なブラシ台座を歯ブラシヘッドの柄に装着する場合、ブラシ台座に一体成型した輪形状の弾性材を設け、歯ブラシヘッドの柄に、前記輪形状の弾性材が収納できる溝を設けて、歯ブラシヘッドの柄の表面、もしくは溝の表面を凸凹させた。
【発明の効果】
【００１０】
以上の説明から明らかのように、本発明にあっては次に列挙する効果が得られる。
【００１１】
ブラシ台座を、弾性材で、底面を開放にした、空洞を有する半球形状にして、ブラシと半球形状の弾性材で構成された弾性構造体にしたことによって、歯の凸凹した場所や、歯と歯の隙間などを効果的に清掃でき、歯や歯茎に加わり過ぎた時の圧力を吸収し、損傷を軽減できる。また、半球形状にした弾性材に、ブラシを束にして多数取り付けることにより、弾性材だけで半球形状にしたときの弾性力よりも、大きな弾性力を有する弾性構造体にできる。
【００１２】
歯ブラシヘッドの柄に、歯ブラシヘッドの柄に対して垂直に貫通した大きめの穴を設けたことにより、本発明のブラシ台座が変形し過ぎるのを防止できるとともに、空洞に入り込むことになる水や唾液などの空洞の出入りに抵抗が大きいものも含めて、空気の出入りに抵抗がないことにより、ブラシ台座が凹みの変形をしてからの復元が早い。よって、細かい動きのブラッシングや、歯の凸凹な場所に効果を発揮する。また、ブラシの取り付け部分の弾性材自身の弾性力は、ブラシ台座が凹みの変形をしている時でも、ブラシに加わる圧力の大、小に関係なく、弾性力を残して、安定した物となるので、歯の凸凹な場所、歯と歯の隙間などのブラシの入りやすさの変化が小さく、変形している最中でも最適圧力に近い安定したブラシからの圧力を歯に加えられて清掃できる。特に一番奥の歯などには有効である。
【００１３】
強い圧力がブラシに加わってしまった場合、ブラシ台座の変形の凹みが使用者に伝わるため、圧力の加え過ぎを通知できる効果もある。また、ブラシに圧力が加わり過ぎて、弾性構造体が限界まで変形してしまった場合でのブラッシングでも、効果的に圧力を吸収し、歯にブラシが包み込むように向きを変え、ブラシ密度も増えることで、清掃効果、弾性効果は持続し、歯と歯茎の間にもブラシが入りやすくなる効果もあり、また、歯を削り過ぎたり、歯茎などの損傷を軽減できる。
【００１４】
介護用として、他の人がブラッシングする場合でも、圧力の加え過ぎが判り、歯や歯茎の損傷を抑えることが出来る。また、歯ブラシの柄を握る手に障害があったり、うまく圧力の加減ができない人や高齢者にも有効である。
【００１５】
半球形状の弾性構造体のブラシ台座に、歯ブラシヘッドの柄に対して垂直にブラシ先端面が揃うようにブラシが取り付けてあるため、平面のブラシ台座に取り付けるよりも表面積が大きいことになり、多くのブラシを取り付けられることによって、ブラシ密度を増やせられ、ブラシ密度の多さとブラシ自身がブラシ台座である弾性構造体の凹みの変形を助けることにもなる。また、中央付近と外側付近のブラシの長さが変わるため、ブラシの材質、太さ等変えることなく、歯茎に当たりやすい外側付近のブラシを中央付近より柔らかくできることにより、歯茎に優しい物となる。そのため、種類の違うブラシを組み合わせなくても、同等の効果を得られる場合もあるので、生産コスト面にも貢献できる。また、ブラシ台座である弾性構造体の中央付近の方が、外側付近より、弾性構造体の凹みによる弾性変形しやすい場所であることと、中央付近のブラシに、歯ブラシの柄に対して垂直に加わった圧力は、ブラシ台座に、その表面に対して垂直に力が加わるために、弾性効果を得られやすいことになり、短めで硬めのブラシでも好都合である。
【００１６】
歯ブラシヘッドの柄とブラシ台座が一体形成の場合、弾性構造体を一段下に落として、圧力が加わった場合の弾性材の逃げを柄の穴の内側で押さえた場合は、弾性構造体の弾性力を増せるため、柔らかめの弾性材を使って、弾性構造を作れる。この場合は、弾性構造体に圧力が加わり、凹みの変形が始まるまでの圧力を同じにできると共に、ブラシの取り付け部分の弾性力を弱めに、変形終了してからは穴を通して弾性しやすく出来ることになる。
【００１７】
弾性構造体の高さ加減、弾性材の厚さや弾性材の硬質、ブラシの硬質の組み合わせが、多数出来るので、多数の弾性の仕方の種類ができる。したがって、使用者の歯や歯茎の状態やブラッシングの仕方により、多くの選択が可能になる。
【００１８】
歯ブラシヘッドの柄とブラシ台座が一体形成の場合、弾性材が歯ブラシヘッドの柄すべてを被っているため、万が一、歯ブラシヘッドの柄に割れなどが生じた場合でも安心であり、衛生上の洗浄面でも優れたものとなっている。
【００１９】
ブラシ台座を着脱可能とした場合、歯ブラシの柄は、最低一種類の材料から生産できるので、生産コストに貢献し、摩擦による消耗がないため、消耗する部分だけであるブラシの付いたブラシ台座のみ処分できることになる。したがって、使用者の経済性や省資源にも貢献できる。また、歯ブラシの柄とブラシ台座を各々、別の場所で生産する事も可能となるため、生産者のコスト面にも貢献できる。
【００２０】
本発明の着脱可能なブラシ台座の輪形状の部分は弾性材であるため、歯ブラシヘッドの柄の溝に着脱が容易に出来て、装着されると強力に固定される。また、輪形状の弾性材の表面も弾性材で出来ているため、歯ブラシヘッドの柄の材質より、かなり柔らかい材質となる。したがって、従来の着脱可能なブラシ台座の課題のように、着脱を繰り返すごとに起きる取り付け接触部の摩擦や、ブラッシング時に発生する可能性が大きいことになる取り付け部分の動きによる摩擦で、歯ブラシヘッドの柄のブラシ台座の取り付け部分を消耗させることはない。したがって、消耗品であるブラシ台座のみ交換すれば、歯ブラシの柄は従来のよりも長期にわたり使用出来ることになる。また、輪形状の弾性材が消耗していったとしても、がたつきによる振動は起きづらく、歯ブラシヘッドの柄からも外れにくい。
【００２１】
本発明の着脱可能なブラシ台座の場合も含めて、ブラシヘッドの柄の表面、もしくは溝の表面を凸凹させる事により、弾性材が凸凹に合わせて形状を変えるので、輪形状の弾性材や本発明のブラシ台座が、ブラッシング時に発生しやすい、ねじれ、滑りを最小限に抑えられる。したがって、ブラシ台座である弾性構造体の弾性力が変化してしまうのと、摩擦による消耗を抑えられ、本発明の着脱可能なブラシ台座が歯ブラシヘッドの柄から容易に外れてしまうことも、凸凹を設けることにより、さらに防止出来る。
【００２２】
以上のように、如何なる環境の国や、場所などにおいても、ブラシの取り付け部分の弾性力も含めて、ブラッシングに最適圧力に近い弾性力を獲得でき、安定した弾性力と弾性量を得ることができる。したがって、歯の凸凹な場所、歯と歯の隙間などを効果的に清掃でき、ブラシ台座を着脱可能にし、交換可能とすれば、さらに使用者、生産者ともに経済性、コスト面に優れ、省資源を図れる歯や歯茎に優しい小さな歯ブラシヘッドの歯ブラシを作ることに成功した。
【実施例】
【００２３】
以下、本発明の実施例を図面に基づいて詳しく説明する。
図１は本発明にかかわる歯ブラシの斜視図であり、歯ブラシを構成している歯ブラシヘッドの柄１とブラシ台座２とは一体形成されている。
【００２４】
図２は、図１のブラシの付いた半球形状の弾性構造体のブラシ台座２を取り外した歯ブラシヘッドの柄１の部分を上から見た斜視図である。歯ブラシヘッドの柄１には貫通した穴５が開いていて表面は凸凹７している。この穴５は弾性構造体のブラシ台座２が変形し過ぎないようにすることと、ブラシ台座２の弾性材の裏面１１の洗浄、また、変形するたびに、空洞１１に存在する空気などの出し入れを行う穴である。また、着脱可能な場合、図２のブラシヘッドの柄１の穴５の内側には、溝６が設けられていて、溝６の表面を凸凹７させてある。溝６が設けられている場合の図２のＧ−Ｇａの断面斜視図が図２１である。
【００２５】
図３は図１のＡ−Ａａ部分の断面図である。このブラシ台座２の材料の一部となる弾性材は、例えばシリコンなどであるが、温度変化等に強く耐久性に優れ、人体に影響のない弾性材ならば、これに限定されない。この弾性材の硬質は、歯４の凸凹量を得ることが大きな目的ではないため、（歯４の大きな凸凹量は弾性構造体の凹みの変形で得ることが目的である）従来のより硬質の弾性材を使えることになる。この弾性材は歯ブラシヘッドの柄１を被って形成されている。空洞１１を有する半球形状のブラシ台座２の断面図なので、弾性材の裏面１２から見ると、ブラシの束ねた元１３が弾性材に埋め込まれているために、少し弾性材の裏面１２の表面が凸凹になっているのがわかる。弾性材の裏面１２から見て、半球形状にした弾性材の厚さは、本発明では同じにしてあるが、すべての場所の弾性材の厚さが同じであるとは限定されない。ブラシ３の一束一束は、一本一本抜けないように、ブラシの束ねた元１３を溶着するか、合成樹脂やプラスチックなどで固めてから埋め込む方法や、製作するうえでの一体形成で、毛止め強度は問題なく達成できる。ブラシ３は歯ブラシヘッドの柄１に対して垂直に面が揃うように、半球形状のブラシ台座２に取り付けてあるため、中央付近のブラシ３の長さと外側付近のブラシ３の長さは違うことになる。ブラシ台座２の中央に向かってブラシ３の長さが徐徐に短くなっていくことになるので、同じ材質、同じ太さのブラシ３を使った場合、中央付近のブラシ３の方が、ブラシ３自身の弾性力が強いため硬く、歯茎に当たりやすい外側付近のブラシ３は中央付近より柔らかいブラシ３になる。ブラシ一束一束はすべて同じ長さにしなくても、一番長い先端面が揃えばいいわけで、すべて同じ長さとは限定されないが、本発明は生産コストを考えて同じ長さにした。また、歯ブラシヘッドの柄１の凸凹７は弾性材が確実に固定されるように設けたものである。一体形成で構成するために接着剤等を使ってもいいが、本発明は使用者の安全性と生産者のコスト面を考えて凸凹７を設けて接着剤等使わず一体形成した。
【００２６】
図４は本発明の歯ブラシをブラシ３に加わる圧力を２００グラム〜２５０グラム程度でブラッシングしている使用状況の説明図。まだ大きく弾性構造体のブラシ台座２は変形しておらず、ブラシ３一束一束が、弾性材に埋め込まれている事と、弾性構造体が凹みの変形を始める前の少ない潰れによる圧力の吸収程度でのブラッシング。この状態を保ったままブラッシングすることが望ましい。
【００２７】
図５は、歯ブラシヘッドの柄１とブラシ台座２が一体形成されているもので、弾性構造体に、歯ブラシヘッドの柄１に対して垂直に圧力が加わった場合、外側に、弾性材に加わった圧力の逃げが大きいと、弾性構造体の凹みの変形を始める前の潰れによる弾性力は小さくなってしまうことになる。同じ材質、厚さの弾性材で作った弾性構造体で潰れによる弾性力を増すために、弾性構造体を一段下に落として歯ブラシヘッドの柄１と形成することにより、圧力が加わった時の弾性材の逃げがすべて歯ブラシヘッドの柄１の穴５の内側で押さえられることになり、図３より弾性構造体の凹みの変形を始めるまでの弾性力を、弾性材の材質や厚さを変えることなく増す事が出来る。このため、ブラシ３取り付け部分の弾性力を同じにしたまま弾性構造体の弾性力を変えることが出来る。この場合の図１のＡ−Ａａの断面図が図５である。また図７は図５の歯ブラシヘッドの柄１を被っている弾性構造体のブラシ台座２を歯ブラシヘッドの柄１から外したものを上から見た斜視図で、そのＢ−Ｂａの断面図が図６である。
【００２８】
図１１は、ある一部のブラシ３に圧力が大きく加わってしまった場所が出来てしまい、弾性構造体自体が凹みの変形を始めて圧力を吸収し始めた使用状況の説明斜視図。この場合は、ブラシ台座２の中央より、前方のブラシに大きな圧力が加わっているため、ブラシ台座２の前方から変形の凹みが始まっていることがわかる。この図１１のＣ−Ｃａの断面図が図８である。変形により凹んだ所は、ブラシ３が凹みの中央に向かって向きを変えていることがわかる。このブラシ３が向きを変えることが、歯４にブラシ３が密着しようと働くため、圧力を吸収している時でも、清掃効果は落ちにくい。この後、圧力を抜けば、素早く復元することになる。また、ブラシ台座２の凹みの変形始めから凹みの変形終了までのブラシ３の取り付け部分の弾性力は、弾性力を残した状態で保たれていることになる。
【００２９】
図１０は、ブラシ３に圧力が加わり過ぎてしまった場合の使用状況の説明斜視図。本発明の弾性構造体のブラシ台座２の最大変形量に近いが、この状態でもブラッシング効果は維持できる。ここからの変形は使用上想定していないが、この状態からさらにブラシ３に圧力が加わった場合は、弾性材自身が穴５を通して逆に伸びて弾性する事になるので、効果は持続する。そして、ブラシ３自身の弾性力が、弾性材の弾性力より小さくなると、弾性材の弾性変形は止まり、ブラシ３自身の変形が大きくなっていくことになる。弾性構造体の変形終了の位置は、特にブラシ密度も増し、ブラシ３からの圧力が加わっているために凹んでいることになるため、変形により凹んだ場所の中央以外のブラシ３は、凹みの中央に向きを変えている。このため、歯４に密着しようと働く。図１０の状態のＤ−Ｄａの断面図が図９である。
【００３０】
図１４、図１５は、判りやすく説明するために、ブラシ台座２に、まだブラシ３が取り付けていない状態だが、ブラシ台座２が弾性の初段階で起きる潰れによる変形初めを、変形しやすくした歯ブラシヘッド部分の斜視図である。図１４はブラシ台座２に、歯ブラシヘッドの柄１に対して直角に切り込み１０を入れてあり、図１５は、上から見て丸く切り込み１０を入れてある。
このため２００グラム程度でのブラッシング中に、ほどよい弾性が得られる。そこから先の弾性では、切り込み１０部分の隙間がなくなることにより弾性力が増す。図１４のＥ−Ｅａの断面図が図１３。図１５のＦ−Ｆａの断面図が図１２である。
【００３１】
図１６のグラフは、従来の歯ブラシと本発明の歯ブラシで、仮に、ブラシの材質や太さを同じにして、ブラシの長さは、従来の歯ブラシのブラシの長さを、本発明の弾性構造体に取り付けてある一番長いブラシとを同じ長さとし、ブラシ台座を上から見てブラシ全体の表面積を同じとして、両方ともブラシ先端面が揃っていることと仮定していることを条件にしている。そして、従来の歯ブラシのように、弾性材や弾性体をブラシの取り付け部分やブラシ台座に使用して、歯の凸凹や圧力の加え過ぎを弾性材や弾性体で吸収することを目的とした歯ブラシと、本発明の歯ブラシの、圧力と変形量の違いをグラフにした説明図である。ブラシに加える圧力の加え方は、徐徐に歯ブラシヘッドの柄に対して垂直にブラシ全部に圧力を加えていく。従来の歯ブラシの弾性材や弾性体の変形と、本発明の弾性構造体の変形の違いを説明すると、従来の歯ブラシは、圧力を加え始めが大きく弾性変形して行き、徐徐に弾性変形量は減っていく。本発明の弾性構造体にしたブラシ台座２の歯ブラシは、弾性変形の流れを説明すれば、まず、ブラシ３に加わった圧力は、ブラシ取り付け部分の弾性材自身の弾性と、弾性構造体が、凹みの変形を始める前に、半球形状の弾性構造体の潰れが生じることでの弾性である。圧力が大きくなっていくと、凹みの変形しやすい場所である弾性構造体の中央付近から凹みの変形が始まっていくことになる。何故ならば、弾性構造体の中央付近は、ブラシから伝わった圧力が、弾性材の表面に対して垂直に圧力が加わりやすい場所であること。もう一つは、ブラシ３の長さが外側付近より短いため、外側付近より硬質なブラシ３になっていることにより、ブラシ３自身の弾性力が大きい。そのため、ブラシ３自身が圧力を吸収しづらく、弾性材に直に圧力が加わるためである。弾性構造体が凹みの変形を始めたと同時に、変形した場所のブラシ３の取り付け部分の弾性材自身の弾性変形は、弾性構造体の凹みの変形が進むにつれて、弾性構造体の中央付近から外側に向かって徐徐に変形の進行が止まっていくことになる。何故ならば、歯ブラシヘッドの柄１に対して垂直にブラシ台座２に取り付けられたブラシ３は、弾性構造体の凹みの中央に向かって向きを変化させることになるためである。そのため、ブラシ３の取り付け部分の弾性材に加わる圧力が変化するためである。また、中央付近のブラシ３は弾性構造体が凹みを始めることで、ブラシ３に加わった圧力は、弾性材自身から弾性構造体の凹みに移行し、中央付近のブラシの取り付け部分の弾性材自身の弾性変形は進行が止まることになる。弾性構造体の凹みの変形終了後は弾性材自身が伸びることにより弾性し、その弾性が限界に到達した後はブラシ３自身が変形していくことになる。ブラシ台座２を半球形状の弾性構造体にしたことにより、仮に、ブラシ全部に平均的に圧力が、歯ブラシヘッドの柄に対して垂直に加わり始めた場合、前記従来の歯ブラシと同じだけの変形量を得るには、本発明の弾性構造体は、従来の前記歯ブラシより強い圧力を必要とする。したがって、圧力の加わり初めの弾性変形量は従来の前記歯ブラシより少なく、弾性構造体の凹みの変形始めから変形終わりまでは、ブラシ３の取り付け部分の弾性材自身の弾性力を維持して保ちながらブラシ台座２である弾性構造体の凹みの変形量も大きく、変形終了後は穴５を通して弾性材が伸びて弾性することにより、徐徐に弾性材自身の弾性量は減っていくことになる。よって、従来の前記歯ブラシより、ブラシの取り付け部分の弾性力を維持し保ちながら、大きな変形量を得ることができることになる。前記載の説明を判りやすくし、圧力と変形量のグラフにした説明図が図１６である。
【００３２】
このように、従来のブラシの取り付け部分に弾性材を設けた歯ブラシは、初めの弾性変形始めは力が要らず、大きな弾性変形量に従い、弾性材の縮みや圧縮が進んでいけばいくほど大きな力を加えないと、弾性変形は進まないことになる。本発明の弾性構造体のブラシ台座２を使えば、圧力加え始めからブラシ台座２の凹みの変形が開始するまでには、圧力を加え始めの時間軸でとらえると、ブラシ台座２が凹みの変形を開始するまでの弾性変形量は少ないことになり、ブラシ台座２の凹みの変形始めから凹みの変形終わりの時点があるとすれば、それに必要な時間は、変形量にしては短く、そこには大きな力が要らない事になる。したがって、最終変形終わりの位置に向かって、ブラシ３に圧力が加わっていった場合、従来のブラシの取り付け部分やブラシ台座に弾性材を設けた物は限界点が早く、そこまでの到達時間も早いが、本発明の弾性構造体を使えば、ブラシ３の取り付け部分の弾性材の弾性力は大きく変化しなく、弾性力を残したまま弾性構造体の変形量が大きく、変形終了した後には、弾性材が穴５を通して逆に伸びるため（図１０参照）、かなり強い５００グラム以上の圧力が加わった場合でも、歯４や歯茎、ブラシ３の損傷を減らす事が出来る。ブラッシングしている状況で簡単に説明すれば、従来の弾性材は、弾性初めが一番柔らかく、弾性変形始めから徐徐に硬さが増していく。本発明の弾性構造体のブラシ台座２は、初め硬く、ブラシ台座２の凹みの変形始めから終わりは圧力をあまり必要としないが、ブラシ３が中央に集まり密集する事と、歯に向きを変えて接触したブラシ３が、ブラシ台座２の凹みの変形を阻止しようとする抵抗もあり、変形するのを助け、本発明のブラシ台座２の凹みの変形終了後からは、徐徐に硬くなることになる。圧力を抜けばブラシ台座２は素早く復元することになる。
【００３３】
図１８は、判りやすくするために、ブラシ３は取り外してあり、消耗品であるブラシ台座部分を着脱可能にすることにより、交換可能としたブラシ台座２ａを下から見た斜視図である。本発明のブラシ台座２と効果は同じであるが、ブラシ台座２ａには、歯ブラシヘッドの柄１、１ａに取り付けて固定させるための輪形状の弾性材８が一体成型されている。この輪形状の弾性材８の弾性力と伸縮を利用し、歯ブラシヘッドの柄１、１ａに固定されることになる。二種類の取り付け方法を考案した。一つ目は図１７の斜視図から判るように、歯ブラシヘッドの柄１ａの穴５の外側に溝６が設けられているものに取り付ける方法、二つ目は、図２の歯ブラシヘッドの柄１の穴５の内側に溝６が設けられているものに取り付ける方法である。一つ目の図１７に取り付ける場合、輪形状の弾性材８の直径の外径の大きさは、歯ブラシヘッドの柄１ａに設けた溝６の直径の内径の大きさより小さくできており、輪形状の弾性材８を歯ブラシヘッドの柄１ａの溝６の一部に引っ掛け伸ばして全体を溝６にはめ込んで固定させる。二つ目の歯ブラシヘッドの柄１の穴５の内側の溝６に固定させる場合、輪形状の弾性材８の直径の外径の大きさは溝６の直径の内径の大きさと同じか少し大きいことになる。また、この場合、図１９から判るように、輪形状の弾性材８の中に、弾性力を備えた合成樹脂９が入っている。この合成樹脂９の材料は合成樹脂製とは限定されなく、金属製でもいいが、本発明では、安全性と省資源を考え合成樹脂製とした。この弾性力を備えた合成樹脂９が入った輪形状の弾性材８を窄めて溝６にはめ込んで復元し固定される。この合成樹脂９の弾性力は輪形状の弾性材８が溝６から容易に外れてしまうことを防止する。図１９のＨ−Ｈａの断面斜視図が図２０である。この合成樹脂９を入れた輪形状の弾性材８は、歯ブラシヘッドの柄１ａに取り付ける場合でも有効に働くこととなる。この場合は窄めて溝に入れるのではなく、輪形状の弾性材８を広げて、溝６の一部に入れて復元させ、図１９から判るように、合成樹脂９が入っていない部分を伸ばして全体を溝６にはめ込む方法で容易に固定できる。
【００３４】
図２と図１７の溝６を設けた柄１、１ａは、着脱可能なブラシ台座２ａを装着し固定させるための歯ブラシヘッドの柄であるが、輪形状の弾性材８が収納される溝６を設けてあり、ブラシ台座２ａや輪形状の弾性材８が滑らず動かないように、溝６の表面、もしくは歯ブラシヘッドの柄１、１ａの表面を凸凹７させてある。輪形状の弾性材８は、弾性力と溝６と凸凹７により、強力に固定されるため、ブラッシング時の小さな力で、ブラシ台座２ａが歯ブラシヘッドの柄１、１ａから外れたりすることを防止すると共に、弾性材の摩擦による消耗を防止する。
【図面の簡単な説明】
【００３５】
【図１】本発明の斜視図である。
【図２】歯ブラシヘッドの柄とブラシ台座が一体形成されている場合と、着脱可能なブラシ台座を装着し固定できるように穴の内側に溝を設けた歯ブラシヘッドの柄から、ブラシ台座を取り外した状態を上方から見た歯ブラシヘッドの柄の斜視図である。
【図３】図１のＡ−Ａａの断面図である。
【図４】理想的なブラッシングの使用状況説明図。
【図５】本発明のブラシ台座を一段落として歯ブラシヘッドの柄に被せて、一体形成した場合の図１のＡ−Ａａの断面図である。
【図６】図７のＢ−Ｂａの断面図である。
【図７】歯ブラシヘッドの柄と一体形成したブラシ台座に、圧力が加わった時の弾性材の逃げを歯ブラシヘッドの柄の穴の内側で押さえられるように加工した、歯ブラシヘッドの柄を上方から見た斜視図である。
【図８】図１１の使用状況時のＣ−Ｃａの断面図である。
【図９】図１０の使用状況時のＤ−Ｄａの断面図である。
【図１０】ブラシ台座に強い圧力が加わっている時の使用状況説明斜視図。
【図１１】ブラシ台座の一部に強い圧力が加わり始めた時の使用状況説明斜視図。
【図１２】図１５の、上から見て丸く切り込みを入れたブラシ台座のＦ−Ｆａの断面図である。
【図１３】図１４の歯ブラシヘッドの柄に対して直角に切り込みを入れたブラシ台座のＥ−Ｅａの断面図である。
【図１４】ブラシを取り付けていない状態のブラシ台座に、歯ブラシヘッドの柄に対して直角に切り込みを入れた斜視図である。
【図１５】ブラシを取り付けていない状態のブラシ台座に、上から見て、ブラシ台座に丸く切り込みを入れた斜視図である。
【図１６】従来の弾性材を使用した歯ブラシと、本発明の歯ブラシとの圧力と変形量の違いをグラフにした説明図。
【図１７】着脱可能のブラシ台座を装着するための、柄の穴の外側に溝と凸凹を設けた歯ブラシヘッドの柄の斜視図。
【図１８】ブラシを取り付けていない状態の本発明のブラシ台座に、輪形状の弾性材を一体成型して脱着可能にしたブラシ台座を下から見た斜視図。
【図１９】輪形状の弾性材の中に、弾性力を備えた合成樹脂が入っていることを説明するための、輪形状の弾性材の部分だけの拡大図。
【図２０】図１９のＨ−Ｈａで切断した、向かって右側の断面斜視図。
【図２１】図２の穴の内側に溝を設けて、歯ブラシヘッドの柄の表面、溝の表面を凸凹させた場合の歯ブラシヘッドの柄をＧ−Ｇａで断面した、図２の向かって左側の断面斜視図。
【符号の説明】
【００３６】
１    歯ブラシヘッドの柄
２    ブラシ台座
３    ブラシ
４    歯
５    穴
６    溝
７    凸凹
８    輪形状の弾性材
９    弾性力を備えた合成樹脂
１０  切り込み
１１  空洞
１２  弾性材の裏面
１３  ブラシの束ねた元
１ａ    穴の外側に溝を設けた歯ブラシヘッドの柄
２ａ    着脱可能なブラシ台座
【図１】
2008178655.tif 000003
【図２】
2008178655.tif 000004
【図３】
2008178655.tif 000005
【図４】
2008178655.tif 000006
【図５】
2008178655.tif 000007
【図６】
2008178655.tif 000008
【図７】
2008178655.tif 000009
【図８】
2008178655.tif 000010
【図９】
2008178655.tif 000011
【図１０】
2008178655.tif 000012
【図１１】
2008178655.tif 000013
【図１２】
2008178655.tif 000014
【図１３】
2008178655.tif 000015
【図１４】
2008178655.tif 000016
【図１５】
2008178655.tif 000017
【図１６】
2008178655.tif 000018
【図１７】
2008178655.tif 000019
【図１８】
2008178655.tif 000020
【図１９】
2008178655.tif 000021
【図２０】
2008178655.tif 000022
【図２１】
2008178655.tif 000023
【手続補正書】
【提出日】平成19年7月2日(2007.7.2)
【手続補正１】
【補正対象書類名】明細書
【補正対象項目名】００２５
【補正方法】変更
【補正の内容】
【００２５】
図３は図１のＡ−Ａａ部分の断面図である。このブラシ台座２の材料の一部となる弾性材は、例えばシリコーンゴムなどであるが、温度変化等に強く耐久性に優れ、人体に影響のない弾性材ならば、これに限定されない。この弾性材の硬質は、歯４の凸凹量を得ることが大きな目的ではないため、（歯４の大きな凸凹量は弾性構造体の凹みの変形で得ることが目的である）従来のより硬質の弾性材を使えることになる。この弾性材は歯ブラシヘッドの柄１を被って形成されている。空洞１１を有する半球形状のブラシ台座２の断面図なので、弾性材の裏面１２から見ると、ブラシの束ねた元１３が弾性材に埋め込まれているために、少し弾性材の裏面１２の表面が凸凹になっているのがわかる。弾性材の裏面１２から見て、半球形状にした弾性材の厚さは、すべての場所の弾性材の厚さが同じであるとは限定されない。ブラシ３の一束一束は、一本一本抜けないように、ブラシの束ねた元１３を溶着するか、合成樹脂やプラスチックなどで固めてから埋め込む方法や、製作するうえでの一体形成で、毛止め強度は問題なく達成できる。ブラシ３は歯ブラシヘッドの柄１に対して垂直に面が揃うように、半球形状のブラシ台座２に取り付けてあるため、中央付近のブラシ３の長さと外側付近のブラシ３の長さは違うことになる。ブラシ台座２の中央に向かってブラシ３の長さが徐徐に短くなっていくことになるので、同じ材質、同じ太さのブラシ３を使った場合、中央付近のブラシ３の方が、ブラシ３自身の弾性力が強いため硬く、歯茎に当たりやすい外側付近のブラシ３は中央付近より柔らかいブラシ３になる。ブラシ一束一束はすべて同じ長さにしなくても、一番長い先端面が揃えばいいわけで、すべて同じ長さとは限定されないが、本発明は生産コストを考えて同じ長さにした。また、歯ブラシヘッドの柄１の凸凹７は弾性材が確実に固定されるように設けたものである。一体形成で構成するために接着剤等を使ってもいいが、本発明は使用者の安全性と生産者のコスト面を考えて凸凹７を設けて接着剤等使わず一体形成した。
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
歯ブラシの、歯ブラシヘッドの柄とブラシの付いたブラシ台座で構成された歯ブラシヘッド部分において、ブラシ台座を、弾性材を使い、底面を開放にした、空洞を有する半球形状にして、ブラシと半球形状の弾性材で構成された弾性構造にし、その弾性構造体がブラシ台座になっていることを特徴とするブラシ台座。
【請求項２】
歯ブラシの、歯ブラシヘッドの柄とブラシの付いたブラシ台座で構成された歯ブラシヘッド部分において、ブラシ台座を、弾性材を使い、底面を開放にした、空洞を有する半球形状にしたブラシ台座に、歯ブラシヘッドの柄に対して垂直にブラシが取り付けられていることを特徴とする請求項１記載のブラシ台座。
【請求項３】
歯ブラシの、歯ブラシヘッドの柄とブラシの付いたブラシ台座で構成された歯ブラシヘッド部分において、ブラシ台座を、弾性材を使い、底面を開放にした、空洞を有する半球形状にして、ブラシと半球形状の弾性材で構成されている弾性構造体にしたブラシ台座を、歯ブラシヘッドの柄に取り付ける前の歯ブラシヘッドの柄に、歯ブラシヘッドの柄に対して垂直に貫通した穴を設けたことを特徴とする歯ブラシヘッドの柄。
【請求項４】
歯ブラシの、歯ブラシヘッドの柄とブラシの付いたブラシ台座で構成された歯ブラシヘッド部分において、歯ブラシヘッドの柄に対して垂直に貫通した穴を設けた歯ブラシヘッドの柄の表面に、凸凹を設けたことを特徴とする請求項３記載の歯ブラシヘッドの柄。
【請求項５】
歯ブラシの、歯ブラシヘッドの柄とブラシの付いたブラシ台座で構成された歯ブラシヘッド部分で、ブラシの付いたブラシ台座が、歯ブラシヘッドの柄から着脱可能な歯ブラシにおいて、ブラシ台座を、弾性材を使い、底面を開放にした、空洞を有する半球形状にしたブラシ台座に、ブラシ台座に一体成型された輪形状の弾性材を設けたことを特徴とする、ブラシ台座。
【請求項６】
歯ブラシの、歯ブラシヘッドの柄とブラシの付いたブラシ台座で構成された歯ブラシヘッド部分で、ブラシの付いたブラシ台座が、歯ブラシヘッドの柄から着脱可能な歯ブラシにおいて、ブラシ台座を、弾性材を使い、底面を開放にした、空洞を有する半球形状にして、ブラシ台座に一体成型された輪形状の弾性材を設けたブラシ台座に、歯ブラシヘッドの柄に対して垂直にブラシが取り付けられていることを特徴とする、請求項５記載のブラシ台座。
【請求項７】
歯ブラシの、歯ブラシヘッドの柄とブラシの付いたブラシ台座で構成された歯ブラシヘッド部分で、ブラシの付いたブラシ台座が、歯ブラシヘッドの柄から着脱可能な歯ブラシにおいて、ブラシ台座を、弾性材を使い、底面を開放にした、空洞を有する半球形状にして、ブラシ台座に一体成型された輪形状の弾性材を設けたブラシ台座を、歯ブラシヘッドの柄に取り付ける前の歯ブラシヘッドの柄に、ブラシ台座に一体成型された輪形状の弾性材が収納できる溝を設けたことを特徴とする、歯ブラシヘッドの柄。
【請求項８】
歯ブラシの、歯ブラシヘッドの柄とブラシの付いたブラシ台座で構成された歯ブラシヘッド部分で、ブラシの付いたブラシ台座が、歯ブラシヘッドの柄から着脱可能な歯ブラシにおいて、歯ブラシヘッドの柄に設けた溝の表面、もしくは歯ブラシヘッドの柄の表面に凸凹を設けたことを特徴とする請求項７記載の歯ブラシヘッドの柄。
【手続補正２】
【補正対象書類名】明細書
【補正対象項目名】００２４
【補正方法】変更
【補正の内容】
【００２４】
図２は、図１のブラシの付いた半球形状の弾性構造体のブラシ台座２を取り外した歯ブラシヘッドの柄１の部分を上から見た斜視図である。歯ブラシヘッドの柄１には貫通した穴５が開いていて表面は凸凹７している。この歯ブラシヘッドの柄１の材料としては、熱可塑性樹脂であればよく、本発明の柄１はポリプロピレンを使用したが、例えば、ポリアミド、ポリエチレン、セルロースプロピオネート、ポリエステル、ポリメチルメタアクリレートなどを用いることもできる。この歯ブラシヘッドの柄１に設けた穴５は弾性構造体のブラシ台座２が変形し過ぎないようにすることと、ブラシ台座２の弾性材の裏面１１の洗浄、また、変形するたびに、空洞１１に存在する空気などの出し入れを行う穴である。また、着脱可能な場合、図２の歯ブラシヘッドの柄１の穴５の内側には、溝６が設けられていて、溝６の表面を凸凹７させてある。溝６が設けられている場合の図２のＧ−Ｇａの断面斜視図が図２１である。
【手続補正３】
【補正対象書類名】明細書
【補正対象項目名】００２５
【補正方法】変更
【補正の内容】
【００２５】
図３は図１のＡ−Ａａ部分の断面図である。このブラシ台座２の材料の一部となる弾性材は、例えばシリコーンゴムなどであるが、温度変化等に強く耐久性に優れ、人体に影響のない弾性材ならば、これに限定されない。この弾性材の硬質は、歯４の凸凹量を得ることが大きな目的ではないため、（歯４の大きな凸凹量は弾性構造体の凹みの変形で得ることが目的である）従来のより硬質の弾性材を使えることになる。この弾性材は歯ブラシヘッドの柄１を被って形成されている。空洞１１を有する半球形状のブラシ台座２の断面図なので、弾性材の裏面１２から見ると、ブラシの束ねた元１３が弾性材に埋め込まれているために、少し弾性材の裏面１２の表面が凸凹になっているのがわかる。弾性材の裏面１２から見て、半球形状にした弾性材の厚さは、すべての場所の弾性材の厚さが同じであるとは限定されない。ブラシ３の材料としては、本発明は通常使用されている、ポリアミドのナイロンであるが、ポリプロピレンやポリエステルのポリブチレンテレフタレートなども用いることができる。ブラシ３の一束一束は、一本一本抜けないように、ブラシの束ねた元１３を溶着するか、合成樹脂やプラスチックなどで固めてから埋め込む方法や、製作するうえでの一体形成で、毛止め強度は問題なく達成できる。ブラシ３は歯ブラシヘッドの柄１に対して垂直に面が揃うように、半球形状のブラシ台座２に取り付けてあるため、中央付近のブラシ３の長さと外側付近のブラシ３の長さは違うことになる。ブラシ台座２の中央に向かってブラシ３の長さが徐徐に短くなっていくことになるので、同じ材質、同じ太さのブラシ３を使った場合、中央付近のブラシ３の方が、ブラシ３自身の弾性力が強いため硬く、歯茎に当たりやすい外側付近のブラシ３は中央付近より柔らかいブラシ３になる。ブラシ一束一束はすべて同じ長さにしなくても、一番長い先端面が揃えばいいわけで、すべて同じ長さとは限定されないが、本発明は生産コストを考えて同じ長さにした。また、歯ブラシヘッドの柄１の凸凹７は弾性材が確実に固定されるように設けたものである。一体形成で構成するために接着剤等を使ってもいいが、本発明は使用者の安全性と生産者のコスト面を考えて凸凹７を設けて接着剤等使わず一体形成した。